(57)【要約】【課題】遊技者が座ったままの状態であっても、遊技盤面を広く開放し、詰まった遊技球の除去作業等を容易に行うことができるようにする。【解決手段】内枠１５に設けられる遊技盤３の前方を開閉自在なガラス扉１７で覆うパチンコ遊技機１であって、ガラス扉１７は、第二のヒンジ機構１６を介して内枠１５に回動自在に取り付けられる回動開閉枠１９と、回動開閉枠１９に対して上下スライド自在なスライド開閉枠２０と、スライド開閉枠２０に固定されるガラス２１とを備えて構成され、回動開閉枠１９及び／又はスライド開閉枠２０の開閉操作に応じて、遊技盤３の前方を開閉させる。【選択図】図４
2007260031.tif 000002
【特許請求の範囲】
【請求項１】
内枠に設けられる遊技盤の前方を開閉自在なガラス扉で覆う弾球遊技機であって、前記ガラス扉は、ヒンジ機構を介して前記内枠に回動自在に取り付けられる回動開閉枠と、該回動開閉枠に対して上下スライド自在なスライド開閉枠と、該スライド開閉枠に固定されるガラスとを備えて構成され、前記回動開閉枠及び／又は前記スライド開閉枠の開閉操作に応じて、前記遊技盤の前方を開閉させることを特徴とする弾球遊技機。
【請求項２】
前記内枠には、前記ガラス扉に向けて突出する突出部が設けられ、前記スライド開閉枠には、前記突出部と係合する係合穴が設けられることを特徴とする請求項１記載の弾球遊技機。
【請求項３】
前記突出部は、前記内枠に出没自在に設けられると共に、前記ガラス扉の施錠機構に連繋され、該施錠機構の解錠操作に応じて没入動作することを特徴とする請求項２記載の弾球遊技機。
【発明の詳細な説明】
【技術分野】
【０００１】
本発明は、パチンコ遊技機等の弾球遊技機に関し、特に、内枠に設けられる遊技盤の前方を開閉自在なガラス扉で覆う弾球遊技機に関する。
【背景技術】
【０００２】
一般に、パチンコ遊技機等の弾球遊技機は、遊技機島に固定される外枠と、該外枠に第一のヒンジ機構を介して開閉自在に取り付けられる内枠と、該内枠に第二のヒンジ機構を介して開閉自在に取り付けられるガラス扉とを備えており、内枠に設けられる遊技盤の前方をガラス扉で覆う構成となっている（例えば、特許文献１参照）。このような弾球遊技機では、遊技盤面上に遊技球が詰まる等のトラブルが発生した場合、遊技場の管理者がガラス扉を開放操作し、詰まった遊技球を取り除く作業が行われる。
【特許文献１】特開２００４−２０８９６４号公報
【発明の開示】
【発明が解決しようとする課題】
【０００３】
しかしながら、従来の弾球遊技機では、ガラス扉の開放操作に際し、ガラス扉を遊技者側に回動させる必要があるため、ガラス扉が遊技者に接触する可能性があるだけでなく、ガラス扉の開放角度が制限され、作業がしにくいという問題があった。特に、遊技盤面を広く開放する必要がある場合には、遊技者が座ったままでは作業ができず、遊技者に席を立ってもらう必要があった。
【課題を解決するための手段】
【０００４】
本発明は、上記の如き実情に鑑みこれらの課題を解決することを目的として創作されたものであって、内枠に設けられる遊技盤の前方を開閉自在なガラス扉で覆う弾球遊技機であって、前記ガラス扉は、ヒンジ機構を介して前記内枠に回動自在に取り付けられる回動開閉枠と、該回動開閉枠に対して上下スライド自在なスライド開閉枠と、該スライド開閉枠に固定されるガラスとを備えて構成され、前記回動開閉枠及び／又は前記スライド開閉枠の開閉操作に応じて、前記遊技盤の前方を開閉させることを特徴とする。このようにすると、スライド開閉枠の上下スライド操作により遊技盤の前方を開放できるので、遊技者が座ったままの状態であっても、遊技盤面を広く開放し、詰まった遊技球の除去作業等を容易に行うことができる。しかも、本発明のガラス扉は、回動による開閉も可能であるため、遊技者の有無や作業の種類に応じて、開放方法を選択できるという利点もある。
また、前記内枠には、前記ガラス扉に向けて突出する突出部が設けられ、前記スライド開閉枠には、前記突出部と係合する係合穴が設けられることを特徴とする。このようにすると、通常時におけるスライド開閉枠のスライド操作をロックできるだけでなく、前記回動開閉枠を半開操作し突出部と係合穴の係合を解除することによって、スライド開閉枠をスライドさせ遊技盤の前方を開放させることができる。また、上方にスライド操作したスライド開閉枠の下端部を突出部に載せることにより、スライド開閉枠を開放位置に保持することができる。
また、前記突出部は、前記内枠に出没自在に設けられると共に、前記ガラス扉の施錠機構に連繋され、該施錠機構の解錠操作に応じて没入動作することを特徴とする。このようにすると、施錠機構の解錠操作に応じて、突出部と係合穴の係合が解除されるので、回動開閉枠を半開操作しなくても、スライド開閉枠をスライド操作し、遊技盤の前方を開放させることができる。
【発明の効果】
【０００５】
以上のような構成によれば、スライド開閉枠の上下スライド操作により遊技盤の前方を開放できるので、遊技者が座ったままの状態であっても、遊技盤面を広く開放し、詰まった遊技球の除去作業等を容易に行うことができる。しかも、本発明のガラス扉は、回動による開閉も可能であるため、遊技者の有無や作業の種類に応じて、開放方法を選択できるという利点もある。
【発明を実施するための最良の形態】
【０００６】
［弾球遊技機］
次に、本発明の実施形態について、図面に基づいて説明する。図１及び図２において、１はパチンコ遊技機（弾球遊技機）であって、該パチンコ遊技機１は、遊技場の遊技機島に複数並設されるものであり、各パチンコ遊技機１の前方位置には、遊技者が座るための椅子（図示せず）が設置される。また、各パチンコ遊技機１の側方隣接位置には、台間玉貸し機２が設けられ、この台間玉貸し機２に、現金又はプリペイドカードを投入することにより、台間玉貸し機２又はパチンコ遊技機１から遊技球が貸し出され、遊技球を用いたパチンコ遊技が可能になる。
【０００７】
パチンコ遊技機１の正面部は、遊技球が発射される遊技盤３と、遊技球を溜める上皿４と、上皿４の余剰球を溜める下皿５と、遊技球の発射力調整を行う発射ハンドル６と、台間玉貸し機２に遊技球の貸出を指示する貸出操作部７と、演出音を出音するスピーカ８とを備えて構成され、また、パチンコ遊技機１の背面部は、払出用の遊技球を溜める遊技球タンク９と、遊技球タンク９内の遊技球を上皿４に払い出す賞球払出装置１０と、発射ハンドル６の操作に応じて遊技球を発射する発射装置（発射モータ）１１と、各種の制御基板１２とを備えて構成されている。
【０００８】
［枠構造］
図３及び図４に示すように、パチンコ遊技機１の枠構造としては、遊技機島に固定される外枠１３と、外枠１３に第一のヒンジ機構１４を介して開閉自在に取り付けられる内枠１５と、内枠１５に第二のヒンジ機構１６を介して開閉自在に取り付けられるガラス扉１７とが含まれており、内枠１５に設けられる遊技盤３の前方をガラス扉１７で覆う構成となっている。また、この種のパチンコ遊技機１では、上皿４及び下皿５も一体的に内枠１５に対して開閉できるように構成されており、上皿４及び下皿５の開放操作により、遊技球の発射部分を露出できるようになっている。
【０００９】
内枠１５の右端部には、内枠１５及びガラス扉１７の開放をロックする施錠機構１８が設けられている。この施錠機構１８に鍵を差し込んだ後、右方向に回すと内枠１５の外枠１３に対する開放操作が許容され、左方向に回すとガラス扉１７（回動開閉枠１９）の内枠１５に対する開放操作が許容される。なお、前述したヒンジ機構１４、１６及び施錠機構１８は、周知のものを用いるので、詳細な説明は省略する。
【００１０】
［ガラス扉］
ガラス扉１７は、第二のヒンジ機構１６を介して内枠１５に回動自在に取り付けられる回動開閉枠１９と、回動開閉枠１９の枠内に設けられる左右一対のガイドレール１９ａに沿って上下スライド自在に支持されるスライド開閉枠２０と、スライド開閉枠２０の枠内に固定取り付けされるガラス２１とを備えて構成されており、回動開閉枠１９の回動操作で遊技盤３の前方を開閉できるだけでなく、スライド開閉枠２０のスライド操作でも遊技盤３の前方を開閉できるようになっている。そして、スライド開閉枠２０の上下スライド操作により遊技盤３の前方を開放する場合は、遊技者が座ったままの状態であっても、遊技盤面を広く開放し、詰まった遊技球の除去作業等を容易に行うことが可能になる。また、回動開閉枠１９の回動操作による開閉も可能であるため、遊技者の有無や作業の種類に応じて、開放方法を選択することができる。
【００１１】
本実施形態では、内枠１５の内側上部に、ガラス扉１７に向けて突出する突出部２２を設けると共に、スライド開閉枠２０の上部に、突出部２２と係合する係合穴２３が設けている。つまり、通常時におけるスライド開閉枠２０のスライド操作を、突出部２２と係合穴２３の係合でロックするが、このようなロック構造によれば、上方にスライド操作したスライド開閉枠２０の下端部を突出部２２に載せることにより、スライド開閉枠２０を開放位置に保持できるという利点がある。
【００１２】
［開閉操作手順］
次に、ガラス扉１７の開閉操作手順について、図３及び図４を参照して説明する。
回動開閉枠１９を開放操作する場合は、施錠機構１８に鍵を差し込んだ後、左方向に回す。これにより、開閉ロックが解除され、回動開閉枠１９の開放操作が可能になる（図３参照）。
スライド開閉枠２０を開放操作する場合は、まず、上記の手順で回動開閉枠１９を半開操作する。回動開閉枠１９を半開操作すると、突出部２２と係合穴２３の係合が解除され、スライド開閉枠２０の開放操作が可能になる。スライド開閉枠２０の開放操作は、回動開閉枠１９を半開状態に保持したまま、スライド開閉枠２０を上方へスライドさせることにより行われる（図４参照）。
スライド開閉枠２０を全開状態に保持する場合は、上記の手順でスライド開閉枠２０を全開位置までスライド操作した後、回動開閉枠１９を閉じる。そして、スライド開閉枠２０の下端部を突出部２２に載せれば、スライド開閉枠２０が全開位置で保持されることになる。
【００１３】
叙述の如く構成された本実施形態によれば、内枠１５に設けられる遊技盤３の前方を開閉自在なガラス扉１７で覆うパチンコ遊技機１であって、ガラス扉１７は、第二のヒンジ機構１６を介して内枠１５に回動自在に取り付けられる回動開閉枠１９と、回動開閉枠１９に対して上下スライド自在なスライド開閉枠２０と、スライド開閉枠２０に固定されるガラス２１とを備えて構成され、回動開閉枠１９及び／又はスライド開閉枠２０の開閉操作に応じて、遊技盤３の前方を開閉させるので、遊技者が座ったままの状態であっても、スライド開閉枠２０のスライド操作により遊技盤面を広く開放し、詰まった遊技球の除去作業等を容易に行うことができる。しかも、ガラス扉１７は、回動による開閉も可能であるため、遊技者の有無や作業の種類に応じて、開放方法を選択できるという利点もある。
【００１４】
また、内枠１５には、ガラス扉１７に向けて突出する突出部２２が設けられ、スライド開閉枠２０には、突出部２２と係合する係合穴２３が設けられるので、通常時におけるスライド開閉枠２０のスライド操作をロックできるだけでなく、上方にスライド操作したスライド開閉枠２０の下端部を突出部２２に載せることにより、スライド開閉枠２０を開放位置に保持することができる。
【００１５】
なお、本発明は、前記実施形態に限定されないことは勿論であって、特許請求の範囲に記載された範囲内において適宜変更できることは言うまでもない。例えば、突出部２２を、内枠１５に出没自在に設けると共に、ガラス扉１７の施錠機構１８に連繋し、施錠機構１８の解錠操作に応じて没入動作するように構成してもよい。このようにすると、施錠機構１８の解錠操作に応じて、突出部２２と係合穴２３の係合が解除されるので、回動開閉枠１９を半開操作しなくても、スライド開閉枠２０をスライド操作し、遊技盤３の前方を開放させることが可能になる。また、スライド開閉枠２０をスライド操作した後に、没入した突出部２２を再度突出させる操作を行い、スライド開閉枠２０の下端部を突出部２２に載せることにより、スライド開閉枠２０を開放位置に保持することができる。また、突出部２２と施錠機構１８の連繋方法としては、様々な方法を適用することができる。例えば、図示は省略するが、リンク連繋機構やワイヤ連繋機構によって機械的に連繋する方法の他、施錠機構１８の解錠操作を検知するセンサと、該センサの検知に応じて突出部２２を没入動作させるソレノイド等のアクチュエータによって構成する方法等が挙られる。また、突出部２２の施錠機構をガラス扉１７の施錠機構と別にパチンコ遊技機に設けても良い。この場合、施錠機構の操作部分をガラス扉１７に設けることが好ましい。
【図面の簡単な説明】
【００１６】
【図１】パチンコ遊技機の正面図である。
【図２】パチンコ遊技機の背面図である。
【図３】回動開閉枠を前方へ回動操作した状態を示すパチンコ遊技機の分解斜視図である。
【図４】スライド開閉枠を上方へスライド操作した状態を示すパチンコ遊技機の要部斜視図である。
【符号の説明】
【００１７】
１  パチンコ遊技機
３  遊技盤
１３  外枠
１４  第一のヒンジ機構
１５  内枠
１６  第二のヒンジ機構
１７  ガラス扉
１８  施錠機構
１９  回動開閉枠
２０  スライド開閉枠
２１  ガラス
２２  突出部
２３  係合穴
【図１】
2007260031.tif 000003
【図２】
2007260031.tif 000004
【図３】
2007260031.tif 000005
【図４】
2007260031.tif 000006